(57)【要約】【課題】  壁紙ロールの側面の表示をみるだけで、壁紙の残りの長さを把握し得る長さ表示機能付壁紙ロールを実現すること。【解決手段】  下紙と化粧材から構成される壁紙の上記化粧材の幅方向の両側に、上記下紙を延長させることにより、上記化粧材の長さ方向の全体に上記下紙の両側の側縁部を形成し、上記両側の側縁部において、上記壁紙の長さ方向の一定長さ毎に長さ表示部を複数表示し、上記長さ表示部は、上記下紙の厚さ方向部分に表示された厚方向表示部を具備しており、上記複数の厚方向表示部は、上記壁紙をロール状に巻き取った壁紙ロールの状態において、上記壁紙ロールの側面から目視可能に構成する。【選択図】  図２
0003159926.tif 000002
【実用新案登録請求の範囲】
【請求項１】
下紙と、該下紙上に設けられた化粧材とにより形成された壁紙を、ロール状に巻き取った長さ表示機能付壁紙ロールであって、
上記化粧材の幅方向の両側に、上記下紙を延長させることにより、上記化粧材の長さ方向の全体に上記下紙の両側の側縁部を形成し、
上記両側の側縁部の両方又は何れか一方において、上記壁紙の長さ方向の一定長さ毎に長さ表示部を複数表示し、
上記長さ表示部は、上記下紙の厚さ方向部分に表示された厚方向表示部を具備しており、
上記複数の長さ表示部における複数の厚方向表示部は、上記壁紙をロール状に巻き取って壁紙ロールとした状態において、上記壁紙ロールの側面において目視可能であることを特徴とする長さ表示機能付壁紙ロール。
【請求項２】
上記長さ表示部は、上記側縁部における幅方向部分に表示された幅方向表示部と、
上記幅方向表示部に引き続いて、上記側縁部における下紙の厚さ方向部分に連続して表示された厚方向表示部とから構成されているものであることを特徴とする請求項１記載の長さ表示機能付壁紙ロール。
【請求項３】
上記長さ表示部は、上記下紙の上記両側の側縁部の両方に表示されており、
上記複数の長さ表示部における複数の厚方向表示部は、上記壁紙をロール状に巻き取って壁紙ロールとした状態において、上記壁紙ロールの両側の側面において目視可能であることを特徴とする請求項１又は２記載の長さ表示機能付壁紙ロール。
【請求項４】
上記長さ表示部における厚方向表示部は、壁紙の長さ方向に所定の長さの線状に表示されているものであることを特徴とする請求項１〜３の何れかに記載の長さ表示機能付壁紙ロール。
【請求項５】
上記長さ表示部における厚方向表示部は、壁紙の長さ方向の所定の長さの線状に表示され、かつ上記下紙の色とは異なる色で表示されているものであることを特徴とする請求項１〜３の何れかに記載の長さ表示機能付壁紙ロール。
【請求項６】
上記長さ表示部は上記壁紙ロールにおいて一定長さ毎に複数表示されており、上記壁紙の長さ方向の複数の長さ表示部間の上記下紙の上記側縁部には、上記長さ表示部の表示間隔より短い長さ毎に長さ表示目盛が表示されているものであることを特徴とする請求項１〜５の何れかに記載の長さ表示機能付壁紙ロール。
【請求項７】
上記長さ表示部は壁紙の１０ｍ毎に表示されているものである請求項１〜６の何れかに記載の長さ表示機能付壁紙ロール。
【考案の詳細な説明】
【技術分野】
【０００１】
本考案は、室内の壁に貼り付けられる壁紙（クロス）であって、ロール状に巻かれた状態であっても、残りの長さを認識可能な長さ表示機能付壁紙ロールに関するものである。
【背景技術】
【０００２】
従来、この種の壁紙は例えば５０ｍの壁紙（幅は例えば９５ｃｍ）をロール状に巻いた状態で販売されている。
【０００３】
施工時は、このロール状壁紙を現場に持ち込んで、必要な長さをロールから引き出してカットし、現場の壁に貼付して使用していた。
【０００４】
１つの現場にて壁紙ロールの全てを使うとは限らないので、残った壁紙ロールは持ち帰り、次回使う場合に備えて保管しておく。よって、使用途中の壁紙ロールが複数保管された状態になる。
【０００５】
これらの保管された壁紙ロールは、次回に再度使用することになるが、使用途中の壁紙ロールは、使用された量が区々であるので、どの程度の長さの壁紙が残っているのか正確には分かりにくいとの課題がある。
【先行技術文献】
【特許文献】
【０００６】
【特許文献１】特開平５−２８８５７８
【考案の概要】
【考案が解決しようとする課題】
【０００７】
ところで、ロール状に巻かれた帯状体の長さを測定するため、ロール体の側面の厚さを測定するためのスケールが開発されている（特許文献１）。このスケールは、ロール体の側面に取り付けてその厚さからロール体を構成する帯状体の長さを読み取るものである。
【０００８】
しかしながら、当該スケールを常時携帯する必要があるし、帯状体の厚さに基づいてその長さを測定するものであるから、帯状体の厚さが異なる場合はスケールが異なるため、帯状体の厚さに応じて複数のスケールを用意しなければならないという課題がある。
【０００９】
本考案は上記課題に鑑みてなされたものであり、スケール等が存在しなくても、壁紙ロールの側面の表示をみるだけで、壁紙の厚みに拘わらず壁紙の残りの長さを把握し得る長さ表示機能付壁紙ロールを実現するものである。
【課題を解決するための手段】
【００１０】
上記の目的を達成するため本考案は、
第１に、下紙と、該下紙上に設けられた化粧材とにより形成された壁紙を、ロール状に巻き取った長さ表示機能付壁紙ロールであって、上記化粧材の幅方向の両側に、上記下紙を延長させることにより、上記化粧材の長さ方向の全体に上記下紙の両側の側縁部を形成し、上記両側の側縁部の両方又は何れか一方において、上記壁紙の長さ方向の一定長さ毎に長さ表示部を複数表示し、上記長さ表示部は、上記下紙の厚さ方向部分に表示された厚方向表示部を具備しており、上記複数の長さ表示部における複数の厚方向表示部は、上記壁紙をロール状に巻き取った壁紙ロールとした状態において、上記壁紙ロールの側面において目視可能であることを特徴とする長さ表示機能付壁紙ロールにより構成される。
【００１１】
このように構成すると、壁紙ロールの側面において長さ表示部の数を確認することにより壁紙の残り長さを容易に認識することができ、スケール等を用いる必要なく、壁紙の厚みにも影響されることなく、壁紙ロールの残り長さを容易に確認することができる。
【００１２】
第２に、上記長さ表示部は、上記側縁部における幅方向部分に表示された幅方向表示部と、上記幅方向表示部に引き続いて、上記側縁部における下紙の厚さ方向部分に連続して表示された厚方向表示部とから構成されているものであることを特徴とする上記第１記載の長さ表示機能付壁紙ロールにより構成される。
【００１３】
このように構成すると、上記壁紙ロールの側面の長さ表示部によりそのロールの壁紙の残り長さを確認できると共に、壁紙を引き出して使用する際は、幅方向表示部にて引き出した長さを確認することができる。
【００１４】
第３に、上記長さ表示部は、上記下紙の上記両側の側縁部の両方に表示されており、上記複数の長さ表示部における複数の厚方向表示部は、上記壁紙をロール状に巻き取って壁紙ロールとした状態において、上記壁紙ロールの両側の側面において目視可能であることを特徴とする上記第１又は２記載の長さ表示機能付壁紙ロールにより構成される。
【００１５】
このように構成すると、壁紙ロールの何れの側面においても、長さ表示部の数を確認することにより壁紙の残り長さを容易に認識することができる。
【００１６】
第４に、上記長さ表示部における厚方向表示部は、壁紙の長さ方向に所定の長さの線状に表示されているものであることを特徴とする上記第１〜３の何れかに記載の長さ表示機能付壁紙ロールにより構成される。
【００１７】
このように構成すると、長さ表示部は壁紙の長さ方向に所定の長さ（幅）（例えば１０ｍｍ〜２０ｍｍ）の線状に表示されているので、側面からも目視し易い表示とすることができる。
【００１８】
第５に、上記長さ表示部における厚方向表示部は、壁紙の長さ方向の所定の長さの線状に表示され、かつ上記下紙の色とは異なる色で表示されているものであることを特徴とする上記第１〜３の何れかに記載の長さ表示機能付壁紙ロールにより構成される。
【００１９】
このように構成すると、壁紙ロールの側面において、厚方向表示部を目視し易い壁紙ロールを実現することができる。
【００２０】
第６に、上記長さ表示部は上記壁紙ロールにおいて一定長さ毎に複数表示されており、上記壁紙の長さ方向の複数の長さ表示部間の上記下紙の上記側縁部には、上記長さ表示部の表示間隔より短い長さ毎に長さ表示目盛が表示されているものであることを特徴とする上記第１〜５の何れかに記載の長さ表示機能付壁紙ロールにより構成される。
【００２１】
このように構成すると、長さ表示部により壁紙ロールの残り長さを確認できると共に、長さ表示目盛により壁紙の引き出し長さを容易に計測することができる。
【００２２】
第７に、上記長さ表示部は壁紙の１０ｍ毎に表示されているものである上記第１〜６の何れかに記載の長さ表示機能付壁紙ロールにより構成される。
【考案の効果】
【００２３】
本考案は上述のように、壁紙ロールの側面において長さ表示部を確認することにより壁紙の残り長さを容易に認識することができ、スケール等を用いる必要なく、壁紙ロールの残り長さを確認することができる。
【００２４】
また、壁紙の厚みが異なっても何ら支障なく、長さ表示部に基づいて壁紙の残り長さを確認することができる。
【００２５】
よって、途中まで使用した壁紙ロールの残り長さを簡単に確認することができ、例えば施工現場に持っていく必要のある壁紙ロールの選択等の際、作業の大幅な効率化に資するものである。
【図面の簡単な説明】
【００２６】
【図１】本考案に係る長さ表示機能付壁紙ロールの斜視図である。
【図２】（ａ）は同上壁紙ロールの平面図、（ｂ）は同上壁紙ロールの側面図である。
【図３】同上壁紙ロールの側縁部近傍の拡大斜視図である。
【図４】（ａ）は同上壁紙ロールの壁紙の平面図、（ｂ）は同上壁紙の正面図、（ｃ）は同上壁紙の側面図である。
【考案を実施するための形態】
【００２７】
以下、本考案に係る長さ表示機能付壁紙ロールについて詳細に説明する。
【００２８】
図１に上記壁紙ロール１の斜視図を示す。この壁紙ロール１は、例えば幅約９５ｃｍ、長さ約５０ｍの壁紙３を芯材２の周りに巻き付けてロール状にしたものである。
【００２９】
上記壁紙３は、模様等が表示され、壁紙の表面を構成する化粧材４と、この化粧材４の裏面側に接着された下紙５により構成されている。この壁紙３は図１に示すように、上記化粧材４の模様等が施されている表面４ａ側が内側となるようにロール状に巻き取られている。
【００３０】
上記壁紙３の上記化粧材４の横幅は約９２ｃｍであり、上記化粧材４の両側縁には、各々１５ｍｍ程度、下紙５が左右方向（幅方向）に延長された下紙の両側の側縁部５ａ，５ａ（化粧材４が存在しない部分）が形成されている（図２（ａ）参照）。この両側の側縁部５ａ，５ａは、上記５０ｍの壁紙３の長さ方向の全体に亘って形成されているものである。
【００３１】
上記下紙５の両側の側縁部５ａ，５ａには、その長さ方向に例えば１０ｃｍ毎に長さ確認用の長さ表示目盛６が左右対称位置に印刷されている。よって、図１に示すように、上記壁紙ロール１から壁紙３を引き出す場合、上記長さ表示目盛６によってその引き出し長さを確認することができる。即ち、上記壁紙３の長さ方向の複数の長さ表示部７（後述）間の上記下紙５の上記側縁部５ａには、上記長さ表示部７の表示間隔より短い長さ（１０ｃｍ）毎に長さ表示目盛６が表示されている。
【００３２】
さらに、上記下紙５の上記両側の側縁部５ａ，５ａには、上記壁紙３の長さ方向の一定長さ毎（例えば１０ｍ毎）に長さ確認用の長さ表示部７が両側の側縁部５ａ，５ａの各々に左右対称位置に印刷されている。この長さ表示部７は、図３、図４に示すように、上記の下紙５の両側の側縁部５ａにおける幅方向部分５ｂにおける幅方向表示部７ａと、上記両側の側縁部５ａにおける外側の厚さ方向部分５ｃにおける厚方向表示部７ｂとから構成されている。また、上記長さ表示部７の幅方向表示部７ａは外側方向にその幅が拡大する三角形状の表示から構成されており、上記厚方向表示部７ｂは上記幅方向表示部７ａの三角形状の底辺に引き続いて連続的に表示されており、上記壁紙３の長さ方向に所定の長さ（例えば１０ｍｍ乃至２０ｍｍ）の幅Ｔを有するように、長さ方向に長く表示されている。さらに、上記長さ表示部７における厚方向表示部７ｂは、壁紙３の長さ方向に所定の長さの線状に表示されている（図４（ｃ）参照）。
【００３３】
このように構成された壁紙３をその芯材２側の基端部１ｂ（図２（ｂ）参照）から上記芯材２にロール状に巻き付けると、図２（ａ）(ｂ)に示すように、壁紙ロール１の側面１ａに上記長さ表示部７の厚方向表示部７ｂが１０ｍ毎に線状に表示され、これらの厚方向表示部７ｂを目視により確認することができる。このように、上記厚方向表示部７ｂは壁紙３の長さ方向に線状に表示されているので、側面１ａにおいて容易に目視することができる。
【００３４】
また、上記長さ表示部７（幅方向表示部７ａ及び厚方向表示部７ｂ）は上記下紙５の色とは異なる色で表示することが好ましい。例えば、下紙５が白であれば、黒、赤等の目立つ色で表示することが好ましい。尚、上記下紙５の両側の側縁部５ａは壁紙の貼付時には壁の表面側には表れないので、上記長さ表示部７の存在は、壁紙施工上は何ら問題ない。
【００３５】
例えば、図２（ｂ）の壁紙ロール１によると、壁紙１の長さは、その側面１ａにおいて、厚方向表示部７ｂ−１の位置が上記芯材２から約１０ｍの長さの位置、厚方向表示部７ｂ−２の位置が上記芯材２から約２０ｍの長さの位置、厚方向表示部７ｂ−３の位置が上記芯材２から約３０ｍの長さの位置、厚方向表示部７ｂ−４の位置が上記芯材２から約４０ｍの長さの位置、上記厚方向表示部７ｂ−５の位置が上記芯材２から約５０ｍの長さの位置となり、上記壁紙ロール１の側面１ａ（両側）において、上記厚方向表示部７ｂ（厚方向表示部７ｂ−１〜７ｂ−５）によって壁紙１の長さを認識することができる。
【００３６】
従って、上記壁紙ロール１を現場に持ち込んで、所定の長さ（例えば２０ｍ）使用したとすると、残った壁紙ロール１の側面１ａには、厚方向表示部７ｂ−３、７ｂ−２、７ｂ−１が表示されているので、この壁紙ロール１の残りの長さは約３０ｍであることを一目で認識することができる。
【００３７】
また、例えば、２５ｍを使用して、厚方向表示部７b−２と７b−１のみであったとすると、正確な残り長さはわからなくても、少なくとも２０ｍは確実に存在することを認識することができるので、次回使用時に、極めて便宜である。
【００３８】
さらに、使用途中の壁紙ロール１が多数存在する場合等は、その側面１ａの厚方向表示部７ｂ（厚方向表示部７ｂの芯材２からの数）を確認することにより、各壁紙ロール１の残り長さを容易に確認することができ、極めて便宜である。通常、使用途中の壁紙ロール１は立てて保管することが多いので、側面１ａにおいて残り長さが確認できることは極めて便宜である。
【００３９】
上記実施形態では、上記下紙５の両側の側縁部５ａ，５ａの各々（両側）に長さ表示部７を印刷（表示）した場合を示したが、このように構成すると、壁紙ロール１の両方の側面１ａ，１ａの何れの側においても長さを確認することができる。
【００４０】
尚、上記両側の側縁部５ａの片側のみに上記長さ表示部７を表示する構成としても良い。この場合は、長さ表示部７が表示された側面１ａにおいて壁紙ロール１の残り長さを確認することができる。また、上記長さ表示目盛６も上記側縁部５ａの両側に表示しても良いし、片側の側縁部５ａのみに表示しても良い。
【００４１】
本考案は上述のように、壁紙ロール１の側面１ａにおいて長さ表示部７を確認することにより壁紙３の残り長さを容易に認識することができ、スケール等を用いる必要なく、壁紙ロール１の残り長さを確認することができるものである。また、上記長さ表示部７は壁紙３と一体となった下紙５の外側の厚さ方向部分５ｃに直接表示されているものであるので、壁紙３自体の厚みが異なっても何ら支障なく、側面１ａの上記長さ表示部７に基づいて壁紙３の残り長さを確認することができる。
【００４２】
よって、途中まで使用した壁紙ロール１の残り長さを簡単に確認することができ、例えば施工現場に持っていく必要のある壁紙ロール１の選択等の際、作業の大幅な効率化を実現し得るものである。
【００４３】
また、壁紙ロール１の左右の何れの側面１ａ，１ａにおいても、長さ表示部７の数を確認することにより壁紙３の残り長さを認識することができるものである。
【００４４】
また、長さ表示部７は壁紙３の長さ方向に所定の幅Ｔ（例えば１０ｍｍ〜２０ｍｍ）の線状のマークで表示されているので、側面１ａ，１ａからも目視し易い表示とすることができる。
【００４５】
また、長さ表示部７により壁紙ロール１の残り長さを確認できると共に、長さ表示目盛６により壁紙３の引き出し長さを容易に計測することができる。尚、図２（ａ）中、２ａは壁紙ロール１の中心軸である。
【産業上の利用可能性】
【００４６】
本考案に係る長さ表示機能付壁紙ロールは、使用途中の壁紙ロールの残り長さを一目で確認することができるので、壁紙の施工作業において、大きな効率化を実現できるものである。
【符号の説明】
【００４７】
１        長さ表示機能付壁紙ロール（壁紙ロール）
１ａ      側面
３        壁紙
４        化粧材
５        下紙
５ａ      側縁部
５ｂ      幅方向部分
５ｃ      厚さ方向部分
６        長さ表示目盛
７        長さ表示部
７ａ      幅方向表示部
７ｂ      厚方向表示部
Ｔ        所定の長さ（幅）
【図１】
0003159926.tif 000003
【図２】
0003159926.tif 000004
【図３】
0003159926.tif 000005
【図４】
0003159926.tif 000006